(57)【要約】【課題】施工作業に高い技量を必要とせず、簡易化することができるとともに、材料の無駄を省くことができ、製造コストの高騰を抑えることができる階段の巾木構造を提供する。【解決手段】巾木構造２０は、壁面１２ａと同壁面１２ａに沿って構築された階段１１との境目を美装処理するため、壁面１２ａ上に施工されている。同巾木構造２０は、踏板１３の上面に沿って壁面１２ａに取付けられる横巾木２１と、蹴込板１４の前面に沿って壁面１２ａに取付けられる縦巾木２２と、横巾木２１及び縦巾木２２を連結する調整巾木２３とから構成されている。この調整巾木２３は、横巾木２１と踏板１３の寸法差及び縦巾木２２と蹴込板１４の寸法差に応じて横巾木２１及び縦巾木２２に対する取着位置を調整することができるように構成されている。【選択図】　　　　図１
2004076459.tif 000002
【特許請求の範囲】
【請求項１】
略水平方向に延びる踏板及び同踏板と交差する方向に延びる蹴込板を備え、かつ壁面に沿って構築された階段において、同階段と該壁面との境目を美装処理するために施工される階段の巾木構造であって、
前記踏板の上面に沿って壁面に取付けられる長板状をなす横巾木と、前記蹴込板の前面に沿って壁面に取付けられる長板状をなす縦巾木と、該横巾木と縦巾木との連結部において、踏板と横巾木の長さの差又は蹴込板と縦巾木の長さの差に応じてその長さの差を補うように横巾木又は縦巾木との取着位置が調整された状態で、横巾木と縦巾木とを連結するための調整巾木とを備えたことを特徴とする階段の巾木構造。
【請求項２】
前記調整巾木は、横巾木及び縦巾木の板幅よりも縦幅及び横幅がそれぞれ幅広な矩形状の基板部と、同基板部の壁面側となる内面の一箇所に突設されて横巾木及び縦巾木に接触される巾木支持部とを備えることを特徴とする請求項１に記載の階段の巾木構造。
【請求項３】
前記調整巾木は、前記基板部の内面において、基板部の中心を挟んで巾木支持部と対向するように突設された当接部を備えることを特徴とする請求項２に記載の階段の巾木構造。
【発明の詳細な説明】
【０００１】
【発明の属する技術分野】
本発明は、家屋等の一般建築物内で壁面に沿って構築される階段において、同階段と壁面との境目を美装処理するために施工される階段の巾木構造に関するものである。
【０００２】
【従来の技術】
通常、家屋等の一般建築物内に構築される階段は、対向配置された一対の捨側板の間に複数の踏板及び蹴込板がそれぞれ水平方向及び上下方向に延びるように架設されることによって構成される。そして、同階段が壁面に沿って構築される場合には、階段を構築した後、捨側板がその内側に隠れるように壁面が構築される。この階段を構成する捨側板、踏板、蹴込板等の構造材は、予め工場等で汎用的なサイズにプレカットされたものが一般的に用いられ、構築される階段のサイズに適合するように施工現場で最終カットされて使用される。
【０００３】
従来より、壁面及び階段が構築された後には、当該壁面と階段との境目を美装処理するために巾木構造が施工されていた。同巾木構造は、踏板の上面に沿って壁面に取付け固定される長板状の横巾木と、蹴込板の前面に沿って取付け固定される長板状の縦巾木とから構成されている。これら横巾木及び縦巾木は、階段の構造材と同様に予めプレカットされたものが用いられ、構築された階段の寸法に適合するように施工現場で最終カットされて使用されていた。
【０００４】
【発明が解決しようとする課題】
ところが、上記従来の巾木構造においては、施工現場で最終カットを行う場合、作業者の技量によっては、横巾木及び縦巾木が寸法通りにカットされないという問題があった。例えば、横巾木と縦巾木とを直交状態で連結させるため、横巾木及び縦巾木は、それぞれの連結部分を長手方向に対して４５゜の方向に延びるように斜めにカットしなければならない。しかし、横巾木と縦巾木との連結部分を斜めにカットするには高い技量を必要とし、作業者の技量が低い場合には、連結部分が寸法通りにカットされないことが多々あった。
【０００５】
さらに、寸法通りにカットされなかったもののうち、所望する寸法よりも長くなってしまったものは、作業の煩雑化と長時間化を招きはするが、カット作業をやり直すことで、材料は無駄にすることなく再利用することができる。しかし、所望する寸法よりも短くなってしまったものは廃棄するしかなく、作業の煩雑化と長時間化を招くとともに、材料費が嵩むことから、製造コストを大幅に増加させるおそれがあった。
【０００６】
この発明は、このような従来技術に存在する問題点に着目してなされたものである。その目的とするところは、施工作業に高い技量を必要とせず、簡易化することができるとともに、材料の無駄を省くことができ、製造コストの高騰を抑えることができる階段の巾木構造を提供することにある。
【０００７】
【課題を解決するための手段】
上記の目的を達成するために、請求項１に記載の階段の巾木構造の発明は、略水平方向に延びる踏板及び同踏板と交差する方向に延びる蹴込板を備え、かつ壁面に沿って構築された階段において、同階段と該壁面との境目を美装処理するために施工される階段の巾木構造であって、前記踏板の上面に沿って壁面に取付けられる長板状をなす横巾木と、前記蹴込板の前面に沿って壁面に取付けられる長板状をなす縦巾木と、該横巾木と縦巾木との連結部において、踏板と横巾木の長さの差又は蹴込板と縦巾木の長さの差に応じてその長さの差を補うように横巾木又は縦巾木との取着位置が調整された状態で、横巾木と縦巾木とを連結するための調整巾木とを備えたことを特徴とするものである。
【０００８】
請求項２に記載の階段の巾木構造の発明は、請求項１に記載の発明において、前記調整巾木は、横巾木及び縦巾木の板幅よりも縦幅及び横幅がそれぞれ幅広な矩形状の基板部と、同基板部の壁面側となる内面の一箇所に突設されて横巾木及び縦巾木に接触される巾木支持部とを備えることを特徴とするものである。
【０００９】
請求項３に記載の階段の巾木構造の発明は、請求項２に記載の発明において、前記調整巾木は、前記基板部の内面において、基板部の中心を挟んで巾木支持部と対向するように突設された当接部を備えることを特徴とするものである。
【００１０】
【発明の実施の形態】
以下、本発明を階段の一種である木製プレカット階段の巾木構造に具体化した一実施形態を、図面に基づいて説明する。
【００１１】
図１は、家屋等の一般建築物内に構築された階段を示す斜視図である。この階段１１は、一側部が大きな壁面１２ａ（以下、略して「壁面１２ａ」ともいう）に沿うようにして構築された略ひな壇型の形状をなしている。同階段１１の他側部は横方向へ開放されており、同他側部の縁と他の壁面及び床面とによって囲まれた内側には小さな壁面１２ｂ（以下、略して「壁面１２ｂ」ともいう）が形成されている。そして、壁面１２ａには、階段１１の一側部と壁面１２ａとの境目を美装処理するため、巾木構造２０が施工されている。
【００１２】
前記階段１１は、それぞれが水平方向に延びるように段差状に配設された複数の踏板１３と、これら踏板１３の間で同踏板１３と直交する方向に延びるように配設された複数の蹴込板１４とを備えている。これら、踏板１３及び蹴込板１４は、大きな壁面１２ａ及び小さな壁面１２ｂの内側にそれぞれ固定された図示しない一対の捨側板の間に架設され、固定されている。また、当該階段１１には、各踏板１３の前端部（図１中で左手前側）を蹴込板１４よりも前方へそれぞれ突出させることにより、段鼻１５が形成されている。
【００１３】
該階段１１を構成する一対の捨側板、踏板１３、蹴込板１４等は、木材を予め工場等でプレカットして形成されており、施工現場で実際の寸法に合わせながら適宜最終カットされて組み合わされる。この組み合わせ作業の際には、まず両捨側板が高さの異なる床面の間に固定された後、踏板１３及び蹴込板１４が下方から順番に両捨側板の間に架設され、固定される。その後、両捨側板を外部から隠すように大きな壁面１２ａ及び小さな壁面１２ｂが形成される。そして、階段１１及び壁面１２ａが形成された後、巾木構造２０が施工される。
【００１４】
図２（ａ），（ｂ）及び図４に示すように、巾木構造２０は、踏板１３の上面に沿って壁面１２ａに取付けられた横巾木２１と、蹴込板１４の前面に沿って壁面１２ａに取付けられた縦巾木２２とを有している。横巾木２１の前端部には、長手方向に対して４５゜の方向に延びる第１傾斜部２１ａが形成されている。同第１傾斜部２１ａと対応して縦巾木２２の上端部には、長手方向に対して４５゜の方向に延びる第２傾斜部２２ａが形成されている。そして、横巾木２１の第１傾斜部２１ａと、縦巾木２２の第２傾斜部２２ａとを突き合わせることにより、横巾木２１と縦巾木２２とが全体として横Ｌ字状をなすように直交状態で組み合わされる。また、縦巾木２２には、前記段鼻１５と適合する位置に段鼻１５を係入するための切欠部２２ｂが切り欠き形成されている。
【００１５】
横巾木２１及び縦巾木２２は長板状の木材を予め工場等でプレカットして形成されており、上記の第１傾斜部２１ａ、第２傾斜部２２ａ及び切欠部２２ｂは同プレカット時に形成される。施工現場における最終カットは、横巾木２１ならば踏板１３の上面の長さに応じてその後端部分が、縦巾木２２ならば蹴込板１４の前面の長さに応じてその下端部分が切断されて行われる。なお、この際、横巾木２１及び縦巾木２２は、その長手方向に対して略直交方向に切断される。
【００１６】
図３（ａ），（ｂ）及び図４に示すように、巾木構造２０において、壁面１２ａに取付けられた横巾木２１の後端部と、縦巾木２２の下端部との間には、調整巾木２３が設けられている。横巾木２１及び縦巾木２２は、同調整巾木２３を介して連結されている。当該調整巾木２３は、矩形状をなす基板部２４と、同基板部２４の内面の一箇所に突設された巾木支持部２５及び矩形状をなす当接部２６とから構成されている。
【００１７】
前記基板部２４は木製の板材よりなり、連結された横巾木２１及び縦巾木２２の内角部分に配置される一隅角部が切り欠かれた略正方形状に形成されている。この基板部２４の縦幅及び横幅（一辺の長さ）は、横巾木２１及び縦巾木２２の板幅よりもそれぞれ幅広とされている。従って、調整巾木２３で横巾木２１及び縦巾木２２を連結した場合、同基板部２４が連結部を外部から覆うことにより、該調整巾木２３で連結部を目隠しすることが可能である。なお、基板部２４の一角部を切り欠いた理由は、横巾木２１及び縦巾木２２の連結部を美装処理するためである。
【００１８】
前記巾木支持部２５は、基板部２４の切り欠かれた一隅部上に配置され、断面形状が直角三角形状をなす三角柱として形成されている。同巾木支持部２５は、直角三角形状をなす二辺において、横巾木用ガイド面２５ａと縦巾木用ガイド面２５ｂを形成している。そして、巾木支持部２５は、横巾木用ガイド面２５ａで横巾木２１に、縦巾木用ガイド面２５ｂで縦巾木２２に接触されている。
【００１９】
前記当接部２６は四角柱状をなし、巾木支持部２５に対して基板部２４の内面の中心を挟み、その対角線上で対向する位置に配置されている。また、同当接部２６は、その二辺において、横巾木用当接面２６ａと縦巾木用当接面２６ｂを形成している。そして、この当接部２６は、調整巾木２３を取付ける際、前記巾木支持部２５とともに壁面１２ａに接触されており、壁面１２ａ上で調整巾木２３を安定して支持するように構成されている。
【００２０】
調整巾木２３の内側において、横巾木用ガイド面２５ａ、横巾木用当接面２６ａ、基板部２４の内面、踏板１３の上面及び壁面１２ａによって囲まれた空間には、横方向に開口する横巾木用収容部２７が形成されている。前記横巾木２１は、その後端部を当該横巾木用収容部２７に収容させることによって調整巾木２３と連結されており、同連結を維持するのであればその後端を横巾木用収容部２７内のいずれに配置してもよい。従って、踏板１３と横巾木２１の長さの差に応じ、その長さの差を補うように横巾木用収容部２７内における横巾木２１の後端部の位置を変更することにより、横巾木２１と調整巾木２３との取着位置が調整可能である。
【００２１】
一方、調整巾木２３の内側において、縦巾木用ガイド面２５ｂ、縦巾木用当接面２６ｂ、基板部２４の内面、蹴込板１４の前面及び壁面１２ａによって囲まれた空間には、上方向に開口する縦巾木用収容部２８が形成されている。前記縦巾木２２は、その下端部を当該縦巾木用収容部２８に収容させることによって調整巾木２３と連結されており、同連結を維持するのであればその下端を縦巾木用収容部２８内のいずれに配置してもよい。従って、蹴込板１４と縦巾木２２の長さの差に応じ、その長さの差を補うように縦巾木用収容部２８内における縦巾木２２の下端部の位置を変更することにより、縦巾木２２と調整巾木２３との取着位置が調整可能である。
【００２２】
また、前記巾木支持部２５は、横巾木用ガイド面２５ａ及び縦巾木用ガイド面２５ｂが横巾木２１及び縦巾木２２のそれぞれに接触されている。そして、横巾木２１及び縦巾木２２と、調整巾木２３との取着位置を調整する際、横巾木用ガイド面２５ａ及び縦巾木用ガイド面２５ｂは、横巾木２１及び縦巾木２２へそれぞれ摺動される。従って、巾木支持部２５は、横巾木２１及び縦巾木２２と、調整巾木２３との取着位置を調整する際、横巾木２１及び縦巾木２２を摺動ガイドしながら支持することが可能である。
【００２３】
次に、上記巾木構造２０の施工方法について以下に記載する。
さて、巾木構造２０を施工するときには、まず縦巾木２２が、その切欠部２２ｂを前記階段１１の段鼻１５に適合させた後、同切欠部２２ｂを段鼻１５に係合させ、壁面１２ａに仮止めされる。次いで、調整巾木２３がその縦巾木用収容部２８内に縦巾木２２の下端部が収容されるように配値され、縦巾木２２に対する取着位置が調整される。このとき、図３（ｂ）に二点鎖線で示したように、最終カット時に縦巾木２２が所望する寸法よりも短くカットされてしまった場合には、縦巾木２２に対して調整巾木２３が下方にスライド移動され、位置調整される。そして、位置調整後、調整巾木２３が壁面１２ａに仮止めされる。
【００２４】
続いて、横巾木２１が壁面１２ａに仮止めされる。同横巾木２１を仮止めするときには、まず横巾木２１の後端を横巾木用収容部２７内に挿入し、その後端面を当接部２６の横巾木用当接面２６ａに当接させる。その後、最終カットされた横巾木２１の取付場所との寸法の差に応じ、調整巾木２３に対して横巾木２１が横方向へスライド移動される。そして、スライド移動された横巾木２１の第１傾斜部２１ａが前記とは異なる縦巾木２２の第２傾斜部２２ａに接触するように位置調整された状態で、横巾木２１が仮止めされる。そして、上記作業を階段１１の全体で繰り返し、複数の横巾木２１、縦巾木２２及び調整巾木２３を仮止めした後、釘、接着剤等を用いることにより、横巾木２１、縦巾木２２及び調整巾木２３が壁面１２ａにそれぞれ取付固定される。
【００２５】
前記の実施形態によって発揮される効果について、以下に記載する。
・　実施形態の巾木構造２０によれば、横巾木２１及び縦巾木２２の連結部には、調整巾木２３が設けられている。同調整巾木２３は、最終カット後の横巾木２１及び縦巾木２２とこれらの取付場所との寸法差に応じ、同寸法差を補うように横巾木２１及び縦巾木２２に対してスライド移動される。つまり、最終カットで横巾木２１及び縦巾木２２を所望する長さより短くカットしてしまった場合でも、その寸法差を補うように調整巾木２３の取付位置を変更すれば、同最終カットをやり直さずとも巾木構造２０を施工することができる。従って、施工作業に高い技量を必要とせず、簡易化することができるとともに、材料の無駄を省くことができ、製造コストの高騰を抑えることができる。
【００２６】
・　また、調整巾木２３には、横巾木２１及び縦巾木２２の連結部を覆い隠す基板部２４と、同基板部２４の内面に突設され、取着位置を調整する際、横巾木２１及び縦巾木２２を摺動ガイドしながら支持する巾木支持部２５が設けられている。従って、美装処理をより効果的なものとすることができるとともに、調整巾木２３の位置調整時に、同調整巾木２３が横巾木２１及び縦巾木２２に対して位置ずれすることを抑制することができる。
【００２７】
・　また、基板部２４の内面には当接部２６が突設されている。同当接部２６は、調整巾木２３を取付ける際、巾木支持部２５とともに壁面１２ａに接触される。これら当接部２６及び巾木支持部２５は、基板部２４の内面の中心を挟んで対向位置に設けられているため、壁面１２ａ上で調整巾木２３を２点支持することができる。従って、調整巾木２３を安定してスライド移動及び固定することができる。
【００２８】
なお、本実施形態は、次のように変更して具体化することも可能である。
・　図５（ａ），（ｂ）に示すように、壁面１２ａに固定する釘２９を打ちつけるため、横巾木２１及び縦巾木２２の外面に釘溝３０を設けてもよい。さらに、釘２９を外部から目隠しするため、当該釘溝３０を閉塞し、美装処理するための蓋部材３１を設けてもよい。また、調整巾木２３にも同様の釘溝３０及び蓋部材３１を設けてもよい。このように構成した場合、釘２９が外部に露出されず、巾木構造２０の外観品質を向上させることができる。
【００２９】
・　実施形態では、横巾木２１の前端部と縦巾木２２の上端部とを、第１傾斜部２１ａ及び第２傾斜部２２ａの突き合わせにより組み合わせたが、これに限らず、同箇所を調整巾木２３で連結してもよい。なお、この場合、第１傾斜部２１ａ及び第２傾斜部２２ａを省略し、横巾木２１の前端部と縦巾木２２の上端部とをその長手方向に対して略直交方向に切断することが好ましい。また、横巾木２１の前端部と縦巾木２２の上端部、及び横巾木２１の後端部と縦巾木２２の下端部の２ヶ所を調整巾木２３で連結する場合、２ヶ所のうち少なくともいずれか１ヶ所を連結する調整巾木２３が横巾木２１及び縦巾木２２に対してスライド移動可能に構成されていればよい。つまり、いずれか１ヶ所の調整巾木２３は、基板部２４のみで構成してもよい。
【００３０】
・　基板部２４は、実施形態で示した略正方形状以外に、例えば扇状、長方形状、横Ｌ字状等としてもよい。
・　横巾木２１、縦巾木２２及び調整巾木２３を合成樹脂製としてもよい。
【００３１】
・　踏板１３に対して蹴込板１４を斜めに取付けてもよい。この場合、縦巾木２２は、踏板１３に対する蹴込板１４の角度に適合して横巾木２１と組み合わされる。
【００３２】
・　横巾木２１及び縦巾木２２に設けられた、切欠部２２ｂ、第１傾斜部２１ａ及び第２傾斜部２２ａは、必要に応じて省略してもよい。例えば、段鼻１５が省略された階段１１の場合、切欠部２２ｂを省略してもよい。
【００３３】
さらに、前記実施形態より把握できる技術的思想について以下に記載する。
・　前記横巾木、縦巾木及び調整巾木には、それぞれの外面に釘を打ちつけるための釘溝を凹設するとともに、当該釘溝を閉塞して外部から目隠しするための蓋部材をそれぞれ設けたことを特徴とする請求項１から請求項３のいずれかに記載の階段の巾木構造。
【００３４】
・　前記横巾木及び縦巾木は、長手方向の一端部が調整巾木を介して連結されるとともに、それぞれの他端部には長手方向に対して斜め方向に延びるようにカットされた傾斜部を有し、互いの傾斜部が突き合わされることによって交差状態で組み合わされることを特徴とする請求項１から請求項３のいずれかに記載の階段の巾木構造。
【００３５】
・　前記階段は踏板の前端を蹴込板よりも前方へ延出することによって形成された段鼻を有し、前記縦巾木には同段鼻と適合する位置に段鼻を係入するための切欠部が設けられていることを特徴とする請求項１から請求項３のいずれかに記載の階段の巾木構造。
【００３６】
【発明の効果】
以上詳述したように、この発明によれば、施工作業に高い技量を必要とせず、簡易化することができるとともに、材料の無駄を省くことができ、製造コストの高騰を抑えることができる。
【図面の簡単な説明】
【図１】実施形態の巾木構造が施工された階段を示す斜視図。
【図２】（ａ）は縦巾木を示す正面図、（ｂ）は横巾木を示す正面図。
【図３】（ａ）は調整巾木を示す正面図、（ｂ）は調整巾木を示す背面図。
【図４】実施形態の巾木構造を示す分解斜視図。
【図５】（ａ）は別形態の縦巾木を示す正面図、（ｂ）は別形態の横巾木を示す正面図。
【符号の説明】
１１…階段、１２ａ…大きな壁面、１３…踏板、１４…蹴込板、２０…巾木構造、２１…横巾木、２２…縦巾木、２３…調整巾木、２４…基板部、２５…巾木支持部、２６…当接部。
【図１】
2004076459.tif 000003
【図２】
2004076459.tif 000004
【図３】
2004076459.tif 000005
【図４】
2004076459.tif 000006
【図５】
2004076459.tif 000007